(57)【要約】【課題】  ＤＶＤを再生する機能や、テレビ放送を受信する機能を内蔵し、本体の設置にかかる手間を大幅に削減することで、ユーザにとって使い勝手の良いＤＶＤ一体型投影装置を提供する。【解決手段】  投影装置１には、ＤＶＤに対する録画／再生を行う録画／再生部３、テレビ放送を受信するテレビ受信部４を有している。また、スクリーンに映像を投影する投影レンズ６ａと、装置本体に対する入力操作を行う操作部８と、を対向する側面に設け、さらに外部機器との接続端子を他の側面に設けている。これにより、これらのケーブルを投影レンズ６ａの正面に位置させない引き回しが簡単に行える。【選択図】  図１
2007096441.tif 000002
【特許請求の範囲】
【請求項１】
投影レンズを介して映像をスクリーンに投影する投影手段を備えた投影装置において、
ＤＶＤに記録されているデータを読み取り、このデータに基づいて映像を再生する再生手段と、
前記受信手段が受信している番組をＤＶＤに録画する録画手段と、
テレビ放送信号を受信し、選択されているチャンネルで放送されている番組を抽出する受信手段と、を備え、
前記投影手段は、前記再生手段が再生した映像や、前記受信手段が受信した番組の映像、さらにはケーブルを介して接続された外部機器から入力された映像をスクリーンに投影する機能を有する手段であり、
前記投影レンズを装置本体のいずれかの側面に取り付け、装置本体に対する入力操作を行う操作キーを前記投影レンズを取り付けた側面に対向する側面に取り付け、さらに装置本体に接続されるケーブルの接続端子を、前記投影レンズ、および操作キーを取り付けていない側面に設けたＤＶＤ一体型投影装置。
【請求項２】
投影レンズを介して映像をスクリーンに投影する投影手段を備えた投影装置において、
ＤＶＤに記録されているデータを読み取り、このデータに基づいて映像を再生する再生手段を備え、
前記投影手段は、前記再生手段が再生した映像をスクリーンに投影する機能を有する手段であり、
前記投影レンズを装置本体のいずれかの側面に取り付け、装置本体に対する入力操作を行う操作キーを前記投影レンズを取り付けた側面に対向する側面に取り付け、さらに装置本体に接続されるケーブルの接続端子を、前記投影レンズ、および操作キーを取り付けていない側面に設けたＤＶＤ一体型投影装置。
【請求項３】
テレビ放送信号を受信し、選択されているチャンネルで放送されている番組を抽出する受信手段を備え、
前記投影手段は、前記受信手段が受信した番組の映像をスクリーンに投影する機能を有する手段である請求項２に記載のＤＶＤ一体型光ディスク装置。
【請求項４】
前記受信手段が受信している番組をＤＶＤに録画する録画手段を備えた請求項３に記載のＤＶＤ一体型光ディスク装置。
【請求項５】
前記投影手段は、ケーブルを介して接続された外部機器から入力された映像をスクリーンに投影する機能を有する手段である請求項２〜４のいずれかに記載のＤＶＤ一体型光ディスク装置。
【発明の詳細な説明】
【技術分野】
【０００１】
この発明は、映像をスクリーンに投影する投影装置と、ＤＶＤに記録されているデータに基づいて映像を再生するＤＶＤ装置と、を一体化したＤＶＤ一体型光ディスク装置に関する。
【背景技術】
【０００２】
従来、映像をスクリーンに投影する液晶プロジェクタ等の投影装置が実用化され始めている。これまでに提案されている投影装置は、例えば特許文献１、２等に示されているように、ＤＶＤ装置や、パソコン等の外部機器をケーブルで接続し、この外部機器からケーブルを介して入力された映像をスクリーン等に投影する構成であった。
【０００３】
また、最近では、ホームシアタという考えに共感し、ＤＶＤに記録されている映画等を視聴するときに、投影装置を利用するユーザが増加している。また、テレビ放送が、これまでのアナログ放送から、高品質の映像を表示できるディジタルテレビ放送に切り換わることから、テレビ放送の番組を視聴するときにも、投影装置を利用するユーザが増加すると考えられる。
【特許文献１】特開２００５−１２４０５４号公報
【特許文献２】特開２００３−２３３３６４号公報
【発明の開示】
【発明が解決しようとする課題】
【０００４】
しかしながら、従来の投影装置は、ケーブルで接続された外部機器、例えばＤＶＤ装置やパソコン、から入力された映像をスクリーンに投影する構成であった。このため、ユーザは、映像を投影するスクリーンの位置だけでなく、投影装置に映像を入力する外部機器との位置関係や、この外部機器との接続に用いるケーブルの引き回し等を考慮して、投影装置を設置しなければならず、投影装置の設置が面倒であるという問題があった。
【０００５】
また、投影装置を使用する場所を変更するときには、この投影装置に映像を入力する外部機器も一緒に設置場所を変更しなければならず、ユーザにとって使い勝手が良くないという問題があった。
【０００６】
この発明の目的は、ＤＶＤを再生する機能や、テレビ放送を受信する機能を内蔵し、本体の設置にかかる手間を大幅に削減することで、ユーザにとって使い勝手の良いＤＶＤ一体型投影装置を提供することにある。
【課題を解決するための手段】
【０００７】
この発明のＤＶＤ一体型装置は、上記課題を解決するために以下の構成を備えている。
【０００８】
（１）投影レンズを介して映像をスクリーンに投影する投影手段を備えた投影装置において、
ＤＶＤに記録されているデータを読み取り、このデータに基づいて映像を再生する再生手段を備え、
前記投影手段は、前記再生手段が再生した映像をスクリーンに投影する機能を有する手段であり、
前記投影レンズを装置本体のいずれかの側面に取り付け、装置本体に対する入力操作を行う操作キーを前記投影レンズを取り付けた側面に対向する側面に取り付け、さらに装置本体に接続されるケーブルの接続端子を、前記投影レンズ、および操作キーを取り付けていない側面に設けている。
【０００９】
この構成では、再生手段によりＤＶＤに記録されている映画や番組の再生が行える。また、投影手段が再生手段により再生された映像をスクリーンに投影する。このように、ＤＶＤの再生機能を投影装置に設けたので、ＤＶＤに記録されている映画等の映像をスクリーンに投影して視聴することができる。投影する映像を装置本体に入力する外部機器としてＤＶＤ装置をケーブルで接続する必要がないので、投影装置の設置にかかるユーザの手間を削減することができる。
【００１０】
また、投影レンズが取り付けられている側面に対向する側面に、操作キーを取り付けたので、スクリーンに映像を投影しているときの操作性が確保できる。さらに、装置本体に接続されるケーブルの接続端子を、投影レンズが取り付けられていない側面に設けたので、簡単にケーブルが投影レンズの前に位置しないように配線することができる。
【００１１】
（２）テレビ放送信号を受信し、選択されているチャンネルで放送されている番組を抽出する受信手段を備え、
前記投影手段は、前記受信手段が受信した番組の映像をスクリーンに投影する機能を有する手段である。
【００１２】
この構成では、テレビ放送されている番組についても、その映像をスクリーンに投影し、視聴することができる。
【００１３】
（３）前記受信手段が受信している番組をＤＶＤに録画する録画手段を備えている。
【００１４】
この構成では、テレビ放送されている番組をＤＶＤに録画でき、このＤＶＤに録画した番組についても、映像をスクリーンに投影して視聴することができる。
【００１５】
（４）前記投影手段は、ケーブルを介して接続された外部機器から入力された映像をスクリーンに投影する機能を有する手段である。
【００１６】
この構成では、ケーブルを介して接続された外部機器から入力された映像についても、スクリーンに投影し、視聴することができる。
【発明の効果】
【００１７】
この発明によれば、投影装置と、ＤＶＤ装置と、を一体にしたので、投影する映像を装置本体に入力する外部機器としてＤＶＤ装置をケーブルで接続する必要がなく、投影装置の設置にかかるユーザの手間を削減することができる。また、投影レンズが取り付けられている側面に対向する側面に、操作キーを取り付けたので、スクリーンに映像を投影しているときの操作性が確保できる。さらに、装置本体に接続されるケーブルの接続端子を、投影レンズが取り付けられていない側面に設けたので、簡単にケーブルが投影レンズの前に位置しないように配線することができる。
【発明を実施するための最良の形態】
【００１８】
以下、この発明の実施形態であるＤＶＤ一体型投影装置の実施形態について説明する。
【００１９】
図１は、この発明の実施形態であるＤＶＤ一体型投影装置の概略の構成を示す図である。この実施形態のＤＶＤ一体型投影装置１（以下、単に投影装置１と言う。）、装置本体の各部の動作を制御するメイン制御部２と、本体にセットされているＤＶＤ（不図示）に録画されている番組等のコンテンツの再生、およびＤＶＤに対するコンテンツの録画を行う録画／再生部３と、テレビ放送信号を受信し、選択されているチャンネルで放送されている番組を抽出するテレビ受信部４と、ケーブルを介して接続された外部機器との間におけるデータの入出力を制御する外部入出力部５と、スクリーンに映像を投影する投影部６と、音声を出力する音声出力部７と、複数の操作キーが設けられた操作部８と、を備えている。録画／再生部３は、公知のピックアップヘッドを有し、このピックアップヘッドで本体にセットされているＤＶＤにレーザ光を照射して録画されているコンテンツのデータの読み取りや、録画するコンテンツのデータの記録を行う。録画／再生部３は、ＤＶＤに録画されているコンテンツの再生時には、ＤＶＤから読み取ったコンテンツのデータを映像データと、音声データとに分離し、これらのデータをデコードする。また、デコードした映像データを投影部６に入力するとともに、デコードした音声データを外部入出力部５、および音声出力部７に入力する。また、録画／再生部３は、ＤＶＤへのコンテンツの録画時には、入力されているコンテンツのデータに基づくプログラムストリームを生成し、このプログラムストリームをＤＶＤに記録する。プログラムストリームは、公知のようにＭＰＥＧ等でエンコードされた映像データ、および音声データを所定の単位でパケット化し、これらを多重化したものである。ＤＶＤに録画するコンテンツは、テレビ受信部４や、外部入出力部５から入力される。
【００２０】
テレビ受信部４には、図示していないアンテナが接続されており、このアンテナで受信されたテレビ放送信号が入力される。アンテナは、アンテナ接続端子４ａに接続される。テレビ受信部４は、入力されているテレビ放送信号から、選択されているチャンネルのテレビ放送信号を抽出するチューナを有している。テレビ受信部４に入力されるテレビ放送信号は、ディジタル放送信号であってもよいし、アナログ放送信号であってもよい。テレビ受信部４は、チューナで抽出した番組の映像データを投影部６に入力するとともに、音声データを外部入出力部５や、音声出力部７に入力する。また、テレビ受信部４は、映像データおよび音声データを録画／再生部３にも入力する。
【００２１】
なお、テレビ受信部４は、選択されているチャンネルのテレビ放送信号がアナログ放送信号であれば、このアナログ放送信号に基づいて、映像データ、および音声データを生成し、上述した投影部６等に入力する。
【００２２】
外部入出力部５には、外部機器との接続に用いる入出力端子が複数設けられている。例えば、パソコンとの接続に用いるＰＣ用接続端子や、ＤＶＤ装置等の外部機器からの映像データや、音声データの入力を受け付けるディジタル入力端子、パワーアンプとの接続に用いるディジタル音声出力端子が設けられている。外部入出力部５は、外部機器から入力された映像データを投影部６に入力するとともに、音声データを音声出力部７に入力する。また、外部入出力部５は、入力された映像データ、および音声データを録画／再生部３にも入力する。さらに、外部入出力部５は、録画／再生部３や、テレビ受信部４から入力された音声データを、ディジタル音声出力端子から外部へ出力する。投影部６は、録画／再生部３、テレビ受信部４、または外部入出力部５から入力された映像データに基づく映像を液晶パネル（付図示）に表示し、液晶パネルに表示した映像を投影レンズ６ａを介してスクリーンに投影する。また、音声出力部７は、スピーカ７ａを有し、録画／再生部３、テレビ受信部４、または外部入出力部５から入力された音声データに基づく音声信号を生成し、この音声信号でスピーカ７ａからの音声の出力を制御する。操作部８は、複数の操作キーに加えて、図示していないリモコン装置から送信されてきた制御コードを受信するリモコン受信部や、装置本体の動作状態を表示する表示部８ａを有している。操作部８は、リモコン受信部で受信した制御コード、操作された操作キーに応じた制御コードをメイン制御部２入力する。メイン制御部２は、操作部８から入力された制御コードに基づいて、各部の動作を制御する。例えば、テレビ受信部４で受信するチャンネルの切り換え、スピーカ７ａから出力される音声の音量のアップ／ダウン等の制御を行う。
【００２３】
図２は、この発明の実施形態である投影装置の斜視図であり、図３は、この実施形態の投影装置の正面図（図３（Ａ））、背面図（図３（Ｂ））、および右側面図（図３（Ｃ））である。この実施形態の投影装置１は、図示するように直方体形状のケースに、上述した各部が設けられている。ケース正面には、録画／再生部３においてコンテンツの再生や録画を行うＤＶＤを挿入する挿入口３ａが設けられている。録画／再生部３は、挿入口３ａに挿入されたＤＶＤを取り込むオートローディング機構を有している。このオートローディング機構については、公知であるのでここでは説明を省略する。また、イジェクト時には、この挿入口３ａに装置本体からＤＶＤを半分程度放出する。また、ケース正面に、操作部８の操作キー、リモコン受信部、表示部８ａを配置している。さらに、ケース正面の左右両側に音声出力部７のスピーカ７ａを配置している。
【００２４】
また、ケース背面には、投影部６の投影レンズ６ａが配置されている。この実施形態では、投影レンズ６ａは、ケース背面の略中央部に配置しているが、右側や、左側に寄せて配置してもよい。また、この実施形態の投影装置１は、投影レンズ６ａ以外の構成をケース背面に配置していない。言い換えれば、ケース背面には投影レンズ６ａのみ配置している。さらに、ケース右側面には、テレビ受信部４にアンテナを接続するためのアンテナ接続端子４ａや、外部入出力部５と外部機器とを接続する外部入出力端子が配置されている。アンテナ接続端子４ａや、外部入出力端子は、正面側に寄せて配置している。このように、アンテナ接続端子４ａや、外部入出力端子を正面側に寄せて配置しているので、これらのケーブルを投影レンズ６ａの正面に位置させない引き回しが簡単に行える。
【００２５】
なお、アンテナ接続端子４ａや、外部入出力部５の外部入出力端子については、ケースの右側面と左側面に分けて配置してもよいが、この場合には、外部機器との接続に用いるケーブルが装置本体の両側に接続されることになるので、そのケーブルの引き回しが煩雑になることもある。したがって、右側面、または左側面の一方にまとめて配置するのが好ましい。
【００２６】
次に、この発明の実施形態である投影装置１の使用時の動作について説明する。図４は、この実施形態の投影装置の使用状況を示す図である。投影装置１は、図４に示すように、本体の背面をスクリーン側に向けて、すなわち投影レンズ６ａをスクリーン側に向けて、載置される。このとき、ユーザは、投影部６による映像がスクリーン上に適正に投影されるように、投影レンズ６ａの傾き、フォーカス、ズーム等の調整を行う。これらの調整機構は、投影部６に設けられている。ユーザは、投影装置１の正面に対向して座る。したがって、投影装置１における、ＤＶＤの挿入口３ａ、操作キー、リモコン受信部、表示部８ａ等がユーザの正面に位置する。このため、ユーザは、装置本体に対するＤＶＤのセットや、イジェクトにかかる操作や、リモコンまたは操作キーによる装置本体に対する入力操作、さらには装置本体の動作状態の確認等が簡単に行える。また、ユーザの正面には、スクリーン、および音声出力部７のスピーカ７ａが位置するので、録画／再生部３で再生されているコンテンツや、受信部４で受信しているチャンネルの番組や、外部機器が外部入出力部５に入力しているコンテンツを視聴することができる。また、外部入出力部５には、上述したようにディジタル音声出力端子を設けているので、音声をパワーアンプ等を利用して５．１ｃｈのサラウンドで楽しむこともできる。
【００２７】
また、投影部６がスクリーンに投影する映像、および音声出力部７が出力する音声について、録画／再生３で再生されているコンテンツとするか、テレビ受信部４で抽出したチャンネルの番組とするか、さらには外部入出力部５に外部機器から入力されているコンテンツとするかの切り換えは、操作部８の操作キーの操作や、リモコン装置の操作により行える。具体的には、メイン制御部２が、ユーザによる操作部８の操作キーの操作や、リモコン装置の操作に応じて、上記の切り換えを行う。また、ユーザは、テレビ受信部４におけるチャンネルの選局についても、操作部８の操作キーの操作や、リモコン装置の操作により行える。したがって、ユーザは、この実施形態の投影装置１単体で、ＤＶＤに記録されているコンテンツの視聴や、テレビ放送されている番組を視聴することができる。
【００２８】
なお、録画／再生部３におけるＤＶＤに記録されているコンテンツの再生動作については、公知のＤＶＤ装置と同じであるのでここでは説明を省略する。また、テレビ受信部４が、選択されているチャンネルのテレビ放送信号抽出する選局動作についても、公知であるのでここでは説明を省略する。
【００２９】
このように、この実施形態の投影装置１は、ＤＶＤを再生する機能や、テレビ放送を受信する機能を内蔵したので、従来のように、ＤＶＤプレイヤ等の外部機器まで設置場所を変更する必要がなく、投影装置を使用する場所の変更が簡単に行える。また、この実施形態の投影装置１は、録画／再生部３、およびテレビ受信部４を備えているので、テレビ放送されている番組を一旦ＤＶＤに録画し、その後ＤＶＤに録画した番組を再生することもできる。また、公知の録画予約機能を適用することもできる。
【図面の簡単な説明】
【００３０】
【図１】この発明の実施形態であるＤＶＤ一体型投影装置の概略の構成を示す図である。
【図２】この発明の実施形態であるＤＶＤ一体型投影装置の斜視図である。
【図３】この発明の実施形態であるＤＶＤ一体型投影装置の正面図、背面図、および側面図である。
【図４】この発明の実施形態であるＤＶＤ一体型投影装置の使用状況を示す図である。
【符号の説明】
【００３１】
１−ＤＶＤ一体型投影装置（投影装置）
２−メイン制御部
３−録画／再生部
４−テレビ受信部
４ａ−アンテナ接続端子
５−外部入出力部
６−投影部
６ａ−投影レンズ
７−音声出力部
７ａ−スピーカ
８−操作部
８ａ−表示部
【図１】
2007096441.tif 000003
【図２】
2007096441.tif 000004
【図３】
2007096441.tif 000005
【図４】
2007096441.tif 000006